(57)【要約】  本発明は、事業者のネットワークに属するモバイル通信端末１にプッシュメールなどのサービスにアクセスすることを許可する方法に関し、前記方法は、モバイル通信端末１からペイメントサーバ２への要求を生成するステップと、前記端末１および前記端末によって要求されたサービスを識別するステップと、識別された端末が要求されたサービスに対してプリペイメントの資格があるかどうかを判定するためにユーザデータベース３に問い合わせるステップと、要求されたプリペイドサービスに対してユーザのアカウントに関する少なくとも１つの情報をモバイル端末１に送信するステップとを含み、前記方法は、端末１とペイメントサーバ２との間の通信がＨＴＴＰプロトコルに準拠して確立され、ペイメントサーバ２が前記データベース３に照会し、ＸＭＬ言語でユーザのアカウントに関する情報を送信することを特徴とする方法。
2010541360.tif 000002
【特許請求の範囲】
【請求項１】
事業者のネットワークに属するモバイル通信端末（１）が、前記ネットワークによってサポートされているプリペイドサービス内のアカウントに関するデータにアクセスし編集することを可能にする方法であって、ペイメントサーバ（２）向けのモバイル通信端末（１）からの要求を生成するステップと、その端末（１）およびその端末によって要求されたサービスを識別するステップと、識別された端末が要求されたサービスに対してプリペイメントを利用できるかどうかを判定するためにユーザデータベース（３）に照会するステップと、要求されたプリペイドサービスに対してユーザのアカウントに関する少なくとも１つの情報をモバイル端末（１）に送信するステップとを含み、端末（１）とペイメントサーバ（２）との間の通信がｈｔｔｐ（ｓ）プロトコルを使用して実行され、ペイメントサーバ（２）が前記データベース（３）に照会し、ＸＭＬ言語でユーザのアカウントに関する情報を送信する、方法。
【請求項２】
ユーザのアカウントに関する少なくとも１つのデータを編集するステップを含み、この編集するステップは、ユーザの端末（１）がペイメントサーバにｈｔｔｐ（ｓ）要求を送信するステップを含むことを特徴とする、請求項１に記載の方法。
【請求項３】
ユーザのアカウントに関するデータが、ユーザの電子メールアドレスと、パスワードと、アカウント上で実行されたトランザクションのログとを含むグループの中から選択されることを特徴とする、請求項２に記載の方法。
【請求項４】
事業者のネットワークに属するモバイル通信端末（１）と、ペイメントサーバ（２）と、ユーザデータベース（３）とを備える、通信システムであって、端末（１）が前記ペイメントサーバ（２）向けの要求を生成する手段を備え、サーバ（２）がその端末およびその端末によって要求されたプリペイドサービスを識別する手段を備え、サーバ（２）が、識別された端末が要求されたサービスに対してプリペイメントを利用できるかどうかを判定するためにユーザデータベース（３）に照会する手段をさらに備え、サーバ（２）が、要求されたプリペイドサービスに対してユーザのアカウントに関する少なくとも１つの情報をモバイル端末（１）に送信するための手段を備え、端末とペイメントサーバ（２）との間の通信がＨＴＴＰプロトコルを使用して実行され、ペイメントサーバ（２）が前記データベース（３）に照会し、ＸＭＬ言語でユーザのアカウントに関する情報を送信することを特徴とする、通信システム
【請求項５】
モバイル通信端末のメモリ内に格納されること、および／またはモバイル端末のリーダよって読み出され得る記憶媒体上に格納されること、および／またはリモートサーバを介してモバイル通信端末上にダウンロード可能であることを意図するコンピュータプログラム製品であって、このプログラムが請求項１から３のいずれか一項に記載の方法の実施のための命令を含む、コンピュータプログラム製品。
【発明の詳細な説明】
【技術分野】
【０００１】
本発明は、電気通信の技術分野に関する。
【０００２】
本発明は、具体的には、モバイル通信端末上で閲覧されることを意図した通信情報に適用される。
【背景技術】
【０００３】
プリペイドサービス、例えば「プッシュメール」は、とりわけ、モバイル端末の使用が制御されるモバイル端末のある種のユーザ、例えば、子供または会社の端末を使用する従業員のために、開発されてきた。
【０００４】
プリペイドサービスのユーザは、自分のアカウントステータスがチェックされてからでないとサービスにアクセスすることができない。このアカウントステータスは、リアルタイムで更新されなければならない。
【０００５】
例えば、ユーザは、移動交換局（ＭＳＣ）に要求を送信する。次いで、交換局は、プリペイメントプラットフォームに要求を送信し、プリペイメントプラットフォームは、それに応答して、ユーザのアカウントのステータスがユーザに要求されたサービスにアクセスすることを許すかどうかを示す。これらの要求および応答は、従来、シグナリングプロトコルＳＳ７を使用する。応答が肯定である場合は、交換局は、ユーザを要求されたサービスに接続する。
【０００６】
文献ＷＯ−２００４／０１０３９３は、様々なＳＳ７プロトコルを使用するプラットフォームへのアクセスを可能にするリアルタイムプリペイドサービスビリングデバイスについて記述している。
【０００７】
匿名プリペイドインターネットアクセス方法が文献ＦＲ−２８１７０５６に開示されている。この方法は、買い物またはペイサイトの閲覧の金額に対応するプリペイド接続時間をデビットすることにより、インターネットで買い物をすること、またはペイウェブサイトを閲覧することを可能にする。
【０００８】
文献ＷＯ  ２００７／００１２３１は、プリペイドサービスにアクセスするために残っているクレジットをリアルタイムでチェックすることを可能にするＡＡＡサーバを備える３ＧＰＰネットワークについて記述している。
【０００９】
現況技術では、プリペイドサービスに加入しているモバイル端末のユーザが自分のアカウント残高の通知を受けること、または請求書を受け取ることを可能にするためのいくつかの方法が提案されている。
【００１０】
第１の手法では、利用情報は、ＷＡＰ（無線アプリケーションプロトコル）ページによって提供される。この手法は、とりわけアクセス速度の点で、ＷＡＰ技術の限界を考えると満足のいくものではない。ＷＡＰサービスは、期待されたほどには成功していない（Ｈｕｎｇ等、Ｃｒｉｔｉｃａｌ  ｆａｃｔｏｒｓ  ｏｆ  ＷＡＰ  ｓｅｒｖｉｃｅｓ  ａｄｏｐｔｉｏｎ：ａｎ  ｅｍｐｉｒｉｃａｌ  ｓｔｕｄｙ，Ｅｌｅｃｔｒｏｎｉｃ  Ｃｏｍｍｅｒｃｅ  Ｒｅｓｅａｒｃｈ  ａｎｄ  Ａｐｐｌｉｃａｔｉｏｎｓ  ２、２００３年、４２−６０頁）。
【００１１】
第２の手法では、ユーザは、ユーザが自分のアカウントを補充することができる特定の番号をダイヤルする。この手法は、満足のいくものではなく、アカウントに関するデータ（電子メールアドレスなど）しか編集され得ない。
【００１２】
第３の手法では、ＧＳＭ端末のＵＳＳＤ（非構造化補足サービスデータ）規格が使用される。例えば、Ｏｒａｎｇｅ社は、端末ユーザにビリングトラッキングのための＃１２３＃サービスを提供している。この手法は、満足のいくものではなく、事業者に依存し、ＳＳ７プロトコルに依拠する。
【００１３】
第４の手法では、ビリングトラッキングは、ＳＭＳ（ショートメッセージサービス）メッセージングサービスによって実行される。この手法は、ＵＳＳＤ規格を使用するのと同じ欠点を有し、インタラクティビティがより低い。
【００１４】
ＳＴＫ（ＳＩＭツールキット）通信プロトコルを使用することも提案されてきた。
【先行技術文献】
【特許文献】
【００１５】
【特許文献１】国際公開第２００４／０１０３９３号パンフレット
【特許文献２】仏国特許第２８１７０５６号明細書
【特許文献３】国際公開第２００７／００１２３１号パンフレット
【非特許文献】
【００１６】
【非特許文献１】Ｈｕｎｇ等、Ｃｒｉｔｉｃａｌ  ｆａｃｔｏｒｓ  ｏｆ  ＷＡＰ  ｓｅｒｖｉｃｅｓ  ａｄｏｐｔｉｏｎ：ａｎ  ｅｍｐｉｒｉｃａｌ  ｓｔｕｄｙ，Ｅｌｅｃｔｒｏｎｉｃ  Ｃｏｍｍｅｒｃｅ  Ｒｅｓｅａｒｃｈ  ａｎｄ  Ａｐｐｌｉｃａｔｉｏｎｓ  ２、２００３年、４２−６０頁
【発明の概要】
【発明が解決しようとする課題】
【００１７】
本発明の目的は、プリペイドサービスの加入者に人間工学的セルフケアツールを提供することであり、これらのツールは、高いレベルのインタラクティビティを保証し、加入者が自分の利用をトラッキングし、自分のアカウント残高を閲覧し、自分の個人データをリアルタイムで編集することができるようにする。
【００１８】
これらのセルフケアツールは、プリペイドサービスの加入者を管理するコストを低減することを可能にするはずである。これらのツールはまた、より大きな顧客ロイヤルティにつながるはずである。これらのツールの実施により、加入者は、顧客サービス担当者に接触することなく、ボイスサーバに照会することなく、低インタラクティビティ手段（ＷｅｂまたはＷＡＰインターフェース、電子メール）を使用することなく、自分の利用をリアルタイムでトラッキングすることができるようになるはずである。
【課題を解決するための手段】
【００１９】
これらの目的のために、本発明は、第１の態様によれば、事業者のネットワークに属するモバイル通信端末がプッシュメールなどのサービスにアクセスすることを可能にする方法であって、ペイメントサーバ向けのモバイル通信端末の要求を生成するステップと、その端末およびその端末によって要求されたサービスを識別するステップと、識別された端末が要求されたサービスに対してプリペイメントを利用できるかどうかを判定するためにユーザデータベースに照会するステップと、要求されたプリペイドサービスに対してユーザのアカウントに関する少なくとも１つの情報をモバイル端末に送信するステップとを備え、端末とペイメントサーバとの間の通信がｈｔｔｐ（ｓ）プロトコルを使用して実行され、ペイメントサーバが前記データベースに照会し、ＸＭＬ言語でユーザのアカウントに関する情報を送信する、方法を開示する。
【００２０】
有利なことには、本方法は、ユーザのアカウントに関する少なくとも１つのデータを編集するステップを含み、この編集するステップは、ユーザの端末がペイメントサーバにｈｔｔｐ（ｓ）要求を送信するステップを含む。
【００２１】
有利なことには、ユーザのアカウントに関するデータは、ユーザの電子メールアドレスと、パスワードと、アカウント上で実行されたトランザクション（補充、ボーナス、利用）のログとを含むグループの中から選択される。
【００２２】
本発明は、第２の態様によれば、事業者のネットワークに属するモバイル通信端末と、ペイメントサーバと、ユーザデータベースとを備える通信システムであって、端末が前記ペイメントサーバ向けの要求を生成する手段を備え、サーバがその端末およびその端末によって要求されたプリペイドサービスを識別する手段を備え、サーバが、識別された端末が要求されたサービスに対してプリペイメントを利用できるかどうかを判定するためにユーザデータベースに照会する手段をさらに備え、サーバが、要求されたプリペイドサービスに対してユーザのアカウントに関する少なくとも１つの情報をモバイル端末に送信するための手段を備え、端末とペイメントサーバとの間の通信が、ｈｔｔｐ（ｓ）プロトコルを使用して実行され、ペイメントサーバが、前記データベースに照会し、ＸＭＬ言語でユーザのアカウントに関する情報を送信する、通信システムを開示する。
【００２３】
本発明は、第３の態様によれば、モバイル通信端末のメモリ内に格納されること、および／またはモバイル端末のリーダよって読み出され得る記憶媒体上に格納されること、および／またはリモートサーバを介してモバイル通信端末上にダウンロード可能であることを意図する、コンピュータプログラム製品であって、このプログラムが上記で提示された方法の実施のための命令を含む、コンピュータプログラム製品を開示する。
【００２４】
本発明の他の目的および利点は、現在好ましい実施形態の以下の説明を読めば明らかになるであろう。この説明は、通信端末と、ペイメントサーバと、ユーザデータベースとの間のセッションシナリオの概略図である添付の図面を参照する。
【図面の簡単な説明】
【００２５】
【図１】通信端末と、ペイメントサーバと、ユーザデータベースとの間のセッションシナリオの概略図である。
【発明を実施するための形態】
【００２６】
加入者の端末１は、例えば、電子メール機能を備えたモバイル端末、例えば、ブランド名、Ｂｌａｃｋｂｅｒｒｙ  Ｐｅａｒｌで販売されているタイプである。
【００２７】
この端末１は、ペイメントサーバ２との通信セッションを確立する。このセッションは、ＨＴＴＰ  ＧＥＴ要求によって確立される。
【００２８】
例示的要求が以下に与えられている：
【数１】
2010541360.tif 000003
【００２９】
ペイメントサーバ２は、ユーザデータベース３、またはイベントデータベース４に照会する。
【００３０】
サーバ２は、ベース３、４によって取得されたデータを端末１によってサポートされているフォーマットで送信するために、これらのデータを変換する。
【００３１】
サーバ２の応答は、ＸＭＬ言語（拡張可能マークアップ言語）で取得される。
【００３２】
例示的シナリオが図１に与えられている。
【００３３】
セッションが、メッセージ、
【数２】
2010541360.tif 000004
によって生成される。
それに応答して、ＸＭＬ文字列が取得される。
【数３】
2010541360.tif 000005
電子メールアドレスまたはパスワードを変更するために、端末１は、以下のメッセージを送信する。
【数４】
2010541360.tif 000006
それに応答して、ＸＭＬ文字列が取得される。
【数５】
2010541360.tif 000007
アカウントを補充するために、端末は、以下のメッセージを送信する。
【数６】
2010541360.tif 000008
それに応答して、ＸＭＬ文字列が取得される。
【数７】
2010541360.tif 000009
利用（最新のトランザクション、補充、ボーナス）をトラッキングするために、端末によって以下のメッセージが送信される。
【数８】
2010541360.tif 000010
それに応答して、ＸＭＬ文字列が取得される。
【数９】
2010541360.tif 000011
セッションを閉じるために、端末によって以下のメッセージが送信される。
【数１０】
2010541360.tif 000012
【００３４】
本発明は、いくつかの利点を有する。
【００３５】
第１に、通信端末内に組み込まれたセルフケアアプリケーションは、サービスの利用を追跡するために事業者のネットワークの特性をバイパスすることを可能にする。
【００３６】
さらに、実際に関係がある情報だけが端末に表示され、適応形態は、その端末の性能（とりわけスクリーンサイズ）に合わせられる。したがって、役に立つ情報が、以前の方式、とりわけＷＡＰを実行することによるよりも、迅速にかつ読みやすく取得される。
【００３７】
通信端末内に組み込まれたプログラムをインストールすることは、事業者がより使用しやすいサービスを提供することができるようにする。例えば、加入者が自分のアカウントを補充したいと思うときはいつでも、加入者は、その番号が端末に保存されている自分のクレジットカードを使用することができる。
【図１】
2010541360.tif 000013
【国際調査報告】
2010541360.tif 000014
2010541360.tif 000015
2010541360.tif 000016
2010541360.tif 000017